【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
−内容物を略水平状態で搬送する第一の搬送手段と、
−熱溶着可能なシート状部材を巻き回した状態の、装置の上方と下方とに設けられた一対のシート状部材ロールと
−前記第一の搬送手段の下流側に、前記シート状部材が通過可能な間隔を隔てて配置され、内容物を略水平状態で搬送する第二の搬送手段と、
−前記第二の搬送手段の位置に設けられ、搬送方向と直角方向の、複数の前記シート状部材の重なり部分の熱溶着を行う第一の熱溶着手段と、
−前記第二の搬送手段の位置に設けられ、前記第一の熱溶着手段によって溶着された後の前記シート状部材を切断する第一の切断手段と、
−前記第一の熱溶着手段より下流側に設けられ、搬送方向と平行な方向の、複数の前記シート状部材の重なり部分の熱溶着を行う第二の熱溶着手段と、
−前記第一の切断手段より下流側に設けられ、前記第二の熱溶着手段によって溶着された後の前記シート状部材の、搬送方向と平行な両側の熱溶着された部分より外側の部分を切断する第二の切断手段とを有し、
ａ）上方のロールから引き出された前記シート状部材の下端と下方のロールから引き出された前記シート状部材の上端とが予め接続された状態で、
ｂ）前記第一の搬送手段が前記内容物を前記シート状部材に当接させ、更に前記第二の搬送手段に受け渡すように下流側に搬送し、
ｃ）前記第二の搬送手段が、前記シート状部材が前記内容物を覆うように下流側に前記内容物を搬送し、
ｄ）前記第一の熱溶着手段が、前記内容物を覆った状態の前記シート部材の下流側端部を熱溶着し、
ｅ）前記第一の切断手段が、下流側端部の熱溶着された部分を切断し、
ｆ）前記第二の熱溶着手段が、搬送方向と平行な方向の、前記内容物より外側の複数の前記シート状部材の重なり部分を熱溶着し、
ｇ）前記第二の切断手段が、前記第二の熱溶着手段によって溶着された後の前記シート状部材の、搬送方向と平行な両側の熱溶着された部分より外側の部分を切断する
ことを特徴とする小型物品の梱包装置。
【請求項２】
前記シート状部材の使用寸法を測定するシート状部材使用寸法測定手段を有することを特徴とする請求項１に記載の小型物品の梱包装置。
【請求項３】
前記第一の搬送手段と、前記第二の搬送手段と、前記第三の搬送手段とが分割可能であることを特徴とする請求項１に記載の小型物品の梱包装置。
【請求項４】
前記一対のシート状部材ロールが、前記第一の搬送手段の上方及び下方に配置されることを特徴とする請求項１に記載の小型物品の梱包装置。
【請求項５】
前記第一の搬送手段上で前記内容物に表示された一次元コードもしくは二次元コードを読み取る読取手段と、前記読取手段で読み取られた移動先に関するデータに基づいて前記梱包体に前記移動先を印刷する印刷手段とを備えたことを特徴とする請求項１に記載の小型物品の梱包装置。
【請求項６】
前記データに基づく移動先が前記梱包体に印刷されたか否か、前記梱包体の荷姿が正常か否かを撮像する撮像手段を備えたことを特徴とする請求項１に記載の小型物品の梱包装置。
【請求項７】
前記切断手段のうちの搬送方向に沿って切断する切断手段及び前記熱溶着手段のうちの搬送方向に沿って熱溶着する熱溶着部は、搬送方向と直交する方向に所定のピッチで移動させる移動手段を備えたことを特徴とする請求項１に記載の小型物品の梱包装置。
【請求項８】
前記熱溶着手段は、前記シート状部材の上流側及び前記内容物の搬送方向に対する左右両側を別々に熱溶着し、前記切断手段は、前記シート状部材の上流側及び前記内容物の搬送方向に対する左右両側を別々に切断するようにしたことを特徴とする請求項１に記載の小型物品の梱包装置。
【請求項９】
前記熱溶着手段は、前記シート状部材の上流側及び前記内容物の搬送方向に対する左右両側を同時に熱溶着し、前記切断手段は、前記シート状部材の上流側及び前記内容物の搬送方向に対する左右両側を同時に切断するようにしたことを特徴とする請求項１に記載の小型物品の梱包装置。
【請求項１０】
前記切断手段及び前記熱溶着手段は、前記内容物のサイズに合わせて着脱自在に交換可能であることを特徴とする請求項８または９に記載の小型物品の梱包装置。
【請求項１１】
−内容物を略水平状態で搬送する第一の搬送手段と、
−熱溶着可能なシート状部材を巻き回した状態の、装置の上方と下方とに設けられた一対のシート状部材ロールと、
−前記第一の搬送手段の下流側に、前記シート状部材が通過可能な間隔を隔てて配置され、内容物を略水平状態で搬送する第二の搬送手段Ａと、
−前記第二の搬送手段Ａの位置に設けられ、搬送方向と直角方向の、複数の前記シート状部材の重なり部分の熱溶着を行う第一の熱溶着手段と、
−前記第二の搬送手段Ａの位置に設けられ、前記第一の熱溶着手段によって溶着された後の前記シート状部材を切断する第一の切断手段と、
−前記第二の搬送手段Ａの位置に設けられ、前記シート状部材の熱溶着部分を把持して略水平方向に牽引する第一の把持牽引手段と、
−前記第二の搬送手段Ａの下流側に設けられ、内容物を略水平状態で搬送する第二の搬送手段Ｂと
−前記第二の搬送手段Ｂに設けられ、搬送方向と平行な方向の、複数の前記シート状部材の重なり部分の熱溶着を行う第二の熱溶着手段と、
−前記第二の搬送手段Ｂに設けられ、前記第二の熱溶着手段によって溶着される前記シート状部材の、搬送方向と平行な両側の熱溶着される部分より外側の部分を切断する第二の切断手段と、
−前記シート状部材で覆われた内容物を前記第二の搬送手段Ａから前記第二の搬送手段Ｂへと渡すように設けられ、前記シート状部材の熱溶着部分を把持して略水平方向に牽引する第二の把持牽引手段と、
を有し、
ａ）上方のロールから引き出された前記シート状部材の下端と下方のロールから引き出された前記シート状部材の上端とが予め接続された状態で、
ｂ）前記第一の搬送手段が前記内容物を前記シート状部材に当接させ、更に前記第二の搬送手段に受け渡すように下流側に搬送し、
ｃ）前記第二の搬送手段が、前記シート状部材が前記内容物を覆うように下流側に前記内容物を搬送し、
ｄ）前記第一の把持牽引手段が、内容物の下流側への搬送に同期して、前記シート状部材の熱溶着された部分を把持して、前記シート状部材が内容物を覆った状態での、前記シート状部材の下流端部が前記第一の熱溶着手段の位置に来るように牽引し、
ｅ）前記第一の熱溶着手段が、前記内容物を覆った状態の前記シート部材の下流側端部を熱溶着し、
ｆ）前記第一の切断手段が、下流側端部の熱溶着された部分を切断し、
ｇ）前記第二の搬送手段Ａが、前記シート状部材で覆われた内容物を前記第二の搬送手段Ｂに送り込み、
ｈ）前記第二の把持牽引手段が、前記シート状部材で覆われた内容物の下流側への搬送に同期して、前記シート状部材の熱溶着された下流端部を前記第二の熱溶着手段の位置へと牽引し、
ｉ）前記第二の熱溶着手段が、搬送方向と平行な方向の、前記内容物より外側の複数の前記シート状部材の重なり部分を熱溶着し、
ｇ）前記第二の切断手段が、前記第二の熱溶着手段によって溶着される前記シート状部材の、搬送方向と平行な両側の熱溶着される部分より外側の部分を切断する
ことを特徴とする小型物品の梱包装置。
【請求項１２】
前記シート状部材の使用寸法を測定するシート状部材使用寸法測定手段を有することを特徴とする請求項１１に記載の小型物品の梱包装置。